(57)【特許請求の範囲】
【請求項１】
ネックバンドと、
前記ネックバンドの一端側に取り付けられた第１固定部と、
前記ネックバンドの他端側に取り付けられた第２固定部と、
前記第１固定部の下端に延設された大剣からなる第１装飾部と、
前記第２固定部の下端に延設された第２装飾部とを備え、
前記第１及び第２固定部の少なくとも一方に設けられた磁石による磁力によって、前記第１及び第２固定部は互いに着脱可能に固定され、
前記第１及び第２固定部が互いに固定された時、前記第１及び第２装飾部が互いに重なり合うように構成されたことを特徴とするネクタイ。
【請求項２】
前記第２固定部の下端に延設され、物品を受容又は係止可能な保持具をさらに備えることを特徴とする請求項１に記載のネクタイ。
【請求項３】
前記第１及び第２固定部は、板状を呈し、
当該ネクタイは、前記磁石の磁力によって着脱可能に前記第１及び第２固定部に固定されるカバーをさらに備えることを特徴とする請求項１又は２に記載のネクタイ。
【請求項４】
前記カバーは、物品を受容又は係止可能な保持部をさらに備えることを特徴とする請求項３に記載のネクタイ。
【請求項５】
前記カバーは、交換可能であることを特徴とする請求項３又は４に記載のネクタイ。
【発明の詳細な説明】
【技術分野】
【０００１】
本発明は、ユニバーサルデザイン対応のネクタイ、特に、片手で着脱でき、意匠性に優れたネクタイに関する。
【背景技術】
【０００２】
一般的なネクタイは、一端側に設けられた幅の広い大剣と、他端側に設けられた幅の狭い小剣と、両者を繋ぐ中接とを備える帯状の布地からなり、首に巻きつけたあと、大剣が前になるようにのど元に結び目（ノット）を形成することによって装着される。このような一般的なネクタイは、結び目を作る作業が必要であるため、装着に手間がかかる。そこで、簡単に装着できるネクタイが提案されている。
【０００３】
例えば、特許文献１には、結び目に相当する逆三角形状の筒から大剣が垂れ下がり、ネックバンドの両端がその筒を通って小剣に連結しているネクタイが記載されている。ネックバンドの一方の側縁にはスライドファスナーの歯が設けられているため、小剣の側からその歯を互いに噛み合わせていくことにより、ネックバンドの周長を調節することができる。よって、このネクタイは、着用者の首にネックバンドをかけた後、スライドファスナーの歯を互いに噛み合わせることによって装着できる。
【０００４】
また、特許文献２には、ネクタイ状の装飾具とこの装飾具が取り付けられるワイシャツとが記載されている。装飾具は、結び目状の上端部の裏面に係合穴部が設けられ、大剣状の部分には上部から下部にかけて複数の簡易係合具が設けられている。ワイシャツの台衿正面には、係合穴部と係合する係合突起が設けられ、前身頃の左右中央には装飾具の簡易係合具に係合する簡易係合具が設けられている。このネクタイ状の装飾具は、装飾具の係合穴部及び簡易係合具をワイシャツの係合突起及び簡易係合具に取り付けることによって装着される。
【先行技術文献】
【特許文献】
【０００５】
【特許文献１】特開２００９−２４９７６５号公報
【特許文献２】実開平６−４７３０２号公報
【発明の概要】
【発明が解決しようとする課題】
【０００６】
近年、障害者にも健常者にも使いやすい製品を設計するというユニバーサルデザインの考え方が広まった。ユニバーサルデザインの観点から一般的なネクタイを検討すると、結び目を作る作業が、両手を使う必要があるため片手の不自由な人には難しく、健常者にとっては煩わしい。特許文献１に記載のネクタイは、一方の手で小剣を押さえ、他方の手でスライドファスナーの歯を噛み合わせるスライダーを引き上げる必要があるため、片手の不自由な人にとっては扱い難いものであった。特許文献２に記載のネクタイ状の装飾具は、片手でも装着可能だが、係合突起等を有する特定のワイシャツとしか組み合わせることができなかった。
【０００７】
このような背景を鑑み、本発明は、不特定のワイシャツに装着でき、ユニバーサルデザインに対応したネクタイを提供することを目的とする。
【課題を解決するための手段】
【０００８】
本発明に係るネクタイ（２）は、ある側面において、ネックバンド（８）と、前記ネックバンドの一端側に取り付けられた第１固定部（１０）と、前記ネックバンドの他端側に取り付けられた第２固定部（１２）と、前記第１固定部の下端に延設された大剣からなる第１装飾部（１４）とを備え、前記第１及び第２固定部の少なくとも一方に設けられた磁石（２２）による磁力によって、前記第１及び第２固定部は互いに着脱可能に固定されることを特徴とする。
【０００９】
この構成によれば、第１固定部と第２固定部とは重ねられると磁力によって互いに固定されるため、着用者は片手でワンタッチでネクタイを装着することができる。そのため、片手が不自由な人でも容易にネクタイを装着することができ、また、健常者にとっては容易に装着できるとともに、一方の手で電子機器の操作のような他の操作をしながら他方の手を使ってネクタイを装着できる。また、ネクタイを固定するための機構のすべてがネクタイに含まれているため、不特定のワイシャツに本発明に係るネクタイを装着することができる。
【００１０】
本発明の他の側面は、上記構成において、前記第２固定部の下端に延設された第２装飾部（１６）をさらに備え、前記第１及び第２固定部が互いに固定された時、前記第１及び第２装飾部が互いに重なり合うように構成されたことを特徴とする。
【００１１】
第１固定部と第２固定部とは、どちらを前に出しても前後に重ね合わせると磁力によって互いに固定されるため、この構成によれば、着用者は、第１装飾部と第２装飾部とのいずれを前に出すかを任意に選択できる。すなわち、着用者は、他者に見せるネクタイのデザインを、第１装飾部を前に出したデザインと、第２装飾部を前に出したデザインとから任意に選択できる。
【００１２】
本発明の他の側面は、上記の第１の構成において、前記第２固定部の下端に延設され、物品を受容又は係止可能な保持具（４６）をさらに備えることを特徴とする。
【００１３】
この構成によれば、第１装飾部の背後又は正面に物品の保持具を配置して、眼鏡等の物品を受容又は係止して保持することができる。
【００１４】
本発明の他の側面は、上記構成のいずれかにおいて、前記第１及び第２固定部は、板状を呈し、当該ネクタイは、前記磁石の磁力によって着脱可能に前記第１及び第２固定部に固定されるカバー（６，３４，４０）をさらに備えることを特徴とする。
【００１５】
この構成によれば、前記第１及び第２固定部が板状を呈するため、どちらを前にして重ね合わせても第１装飾部と第２装飾部又は保持具とを前後に密接させることができ、かつ、前記第１及び第２固定部をカバーで覆うことで本発明のネクタイを結び目を有する一般的なネクタイの形状に近似させることができる。
【００１６】
本発明の他の側面は、上記構成において、前記カバーは、物品を受容又は係止可能な保持部（３８，４２）をさらに備えることを特徴とする。
【００１７】
この構成によれば、カバーによって薬等の物品を保持し、あるいは、アクセサリー等の物品を吊り下げるように係止して第１装飾部、又は第２装飾部若しくは保持具を装飾することができる。
【００１８】
本発明の他の側面は、上記構成において、前記カバーは、交換可能であることを特徴とする。
【００１９】
この構成によれば、カバーが少なくとも第１装飾部を有するネクタイ本体（４）とは別体であるため、カバーをデザインの異なる他のカバーと交換することにより、ネクタイ全体として、様々なデザインパターンを創出することができる。使用者は、カバーのみを変えることで、ネクタイのデザインパターンを変更できるため、低コストで様々なデザインのネクタイを楽しむことができる。
【発明の効果】
【００２０】
本発明によれば、不特定のワイシャツの上に装着でき、かつユニバーサルデザインに対応したネクタイを提供することができる。
【図面の簡単な説明】
【００２１】
【図１】第１実施形態に係るネクタイの正面図
【図２】第１実施形態に係るネクタイ本体の正面図
【図３】第１実施形態に係るネクタイのカバーの表面側から見た斜視図
【図４】第１実施形態に係るネクタイのカバーの裏面側から見た斜視図
【図５】カバーの第１変形例を示す斜視図
【図６】カバーの第２変形例を示す斜視図
【図７】第２実施形態に係るネクタイ本体の正面図
【発明を実施するための形態】
【００２２】
以下、図面を参照して、本発明の実施形態について説明する。図１〜図４は、本発明の第１実施形態を示す。図１は、着用状態におけるネクタイ２の正面図である。図１に示すように、ネクタイ２は、ネクタイ本体４と、結び目に相当する位置に配置されるカバー６とを備える。図２は、非着用状態におけるネクタイ本体４の正面図であり、図３及び図４は、カバー６の斜視図である。
【００２３】
ネクタイ本体４は、ワイシャツ（図示せず）を介して着用者の首を外囲するべきネックバンド８と、ネックバンド８の両端にそれぞれ取り付けられた第１固定部１０及び第２固定部１２と、第１固定部１０及び第２固定部１２の下端にそれぞれ延設された第１装飾部１４及び第２装飾部１６とを備える。
【００２４】
ネックバンド８は、布又は皮革等の撓みやすい素材からなる帯体１８を有する。帯体１８は、第１帯体１８ａ及び第２帯体１８ｂとからなり、第１帯体１８ａ及び第２帯体１８ｂは、それぞれ、一端側で第１固定部１０及び第２固定部１２と連結し、他端側でアジャスター２０を介して互いに連結している。アジャスター２０は、公知のものを適用でき、第１帯体１８ａ及び第２帯体１８ｂとが互いに重なり合う部分の長さを調整することにより、ネックバンド８の周長が調節される。帯体１８におけるアジャスター２０に係合して長さ調節に関わる部分には、ワイシャツの首回サイズに対応する数値等の目盛りがついていることが好ましい。
【００２５】
第１固定部１０及び第２固定部１２は、ネクタイ２の着用時に着用者ののど元に配置されるべき部分である。第１固定部１０及び第２固定部１２の本体は、布地、皮革、樹脂又は金属等からなり、薄い板状を呈する。第１固定部１０はその本体に板状の磁石２２が取り付けられており、第２固定部１２はその本体に磁石２２の磁力によって吸引される薄板２４が取り付けられている。薄板２４は、磁石２２に吸引される金属からなり、鉄分を含むことが好ましい。薄板２４に代えて針金等の金属を第２固定部１２に取り付けてもよい。磁石２２及び薄板２４の間に働く磁力によって、第１固定部１０及び第２固定部１２は互いに重ね合わせた状態で取り外し可能に固定される。第１固定部１０及び第２固定部１２の互いに対する重ね合わせは、着用者対して前後方向（図２の紙面に直交する方向）においてなされ、第１固定部１０及び第２固定部１２のどちらを前にしても固定可能である。なお、第１固定部１０に薄板２４を取り付け、かつ第２固定部１２に磁石２２を取り付けてもよく、また、第１固定部１０及び第２固定部１２の双方に磁石２２を取り付けてもよい。
【００２６】
第１装飾部１４は、ネクタイ２の第１の大剣を構成する。第２装飾部１６は、ネクタイ２の第２の大剣を構成する。これらの素材としては、布地又は皮革が好適であるが、金属又は樹脂等の他の素材を用いてもよい。第１装飾部１４は第１固定部１０の本体部分と一体の素材から構成されてもよく、第２装飾部１６は第２固定部１２の本体部分と一体の素材から構成されてもよい。第１装飾部１４及び第２装飾部１６は、略同一の輪郭を有する。第１固定部１０と第２固定部１２とはどちらを前にしても互いに固定できるため、着用者は、第１装飾部１４と第２装飾部１６とのいずれを前に出すか選択することができる。よって、第１装飾部１４と第２装飾部１６の素材又は表面のデザインを互いに相違させることにより、１本のネクタイ２で２つの大剣のデザインを使い分けることができる。また、第１装飾部１４と第２装飾部１６を互いに同一又は類似の素材及び表面デザインとする場合、一方を他方の予備として利用でき、このようなネクタイ２は、例えば礼装用のネクタイ２に適する。
【００２７】
第２装飾部１６は、大剣形状ではなく、その他の装飾品の形状としてもよい。例えば、ループタイ、チェーン、数珠等の形状として、大剣形状の第１装飾部１４の前に重ね、または、その後ろに隠すようにネクタイ２を着用してもよい。
【００２８】
カバー６は、一般的なネクタイの結び目の代わりとなる部材であり、正面視で左右対称かつ下底が上底よりも短い台形形状をなす主壁２６と、主壁２６の上端から後方に延出した上壁２８と、主壁２６の左右両端から後方に延出した１対の側壁３０と、主壁２６の後面に取り付けられて磁石２２に吸引される金属を素材とする薄板３２とを備える。主壁２６、上壁２８及び１対の側壁３０は、一体に成形された樹脂又は金属からなる。例えば、アルミニウムが軽量であって好適である。薄板３２は、磁石から構成してもよく、または針金に代えてもよい。主壁２６、上壁２８及び１対の側壁３０を鋼板から形成する場合、それ自体が磁石２２に吸引されるため、薄板３２を設けることを省略できる。
【００２９】
主壁２６、上壁２８及び１対の側壁３０によって囲われる空間が第１固定部１０及び第２固定部１２を受容するように、カバー６はネクタイ本体４に取り付けられる。磁石２２と薄板３２との間に働く磁力によって、カバー６は第１固定部１０及び第２固定部１２に取り外し可能に固定される。カバー６とネクタイ本体４とが互いに別体であるため、着用者は、それぞれデザインが互いに異なる複数のネクタイ本体４及び複数のカバー６の中から、任意のネクタイ本体４と任意のカバー６とを組み合わせ、様々なデザインパターンを創出することができる。
【００３０】
次に、ネクタイ２の着用方法について説明する。あらかじめ、着用者又はその補助者は、アジャスター２０を用いて帯体１８の長さを調節しておく。一度長さを調節すればその長さが維持されるため、着用の度に帯体１８の長さ調節をする必要はない。着用者は、ネックバンド８がワイシャツの襟に隠れ、かつ第１固定部１０及び第２固定部１２がそれぞれ着用者の左右斜め前方に配置されるように、ネクタイ２を首にかける。そして、第１固定部１０と第２固定部１２との任意の一方が前になるように両者を互いに重ね合わせる。第１固定部１０に取り付けられた磁石２２と第２固定部１２に取り付けられた金属製の薄板２４との間に働く磁力によって、第１固定部１０と第２固定部１２とは互いに固定される。このように、ネクタイ本体４の固定はワンタッチで行うことができる。次に、カバー６で第１固定部１０及び第２固定部１２を覆うことにより、ネクタイ２が装着される。ネクタイ２を取り外すときは、まず、カバー６を磁力に逆らって取り外し、その後、第１固定部１０と第２固定部１２とを磁力に逆らって互いに離間させれば、ネクタイ２の着用者への固定が解除されてネクタイ２を取り外すことができる。
【００３１】
第１固定部１０と第２固定部１２とを互いに重ね合わせる作業及びカバー６を取り付ける作業、並びにカバー６を取り外す作業及び第１固定部１０と第２固定部１２とを互いに離間させる作業は、片手で行うことができるため、片手が不自由な人でも容易に行うことができ、健常者にとっても容易であり、他方の手で別の作業をしながら行うこともできる。
【００３２】
また、ネクタイ２は結び目を作る必要がないため、第１装飾部１４及び第２装飾部１６の素材として、布地以外の素材を選択することができ、デザインの自由度が高まる。また、第１装飾部１４及び第２装飾部１６のいずれの一方も他方より前に出すことができるため、着用者は１つのネクタイ２で２つのデザインを選択することができ、または、両者を略同一のデザインとして一方を他方の予備として用いることができる。さらに、結び目を作る必要がないことと、第１装飾部１４及び第２装飾部１６のどちらを前に出してもよいこととの両方から、第２装飾部１６を大剣の形状以外のアクセサリー等の形状として、大剣形状の第１装飾部１４の後ろに隠して大剣のみを見せる態様での使用と、前に出して大剣と組み合わせたデザインを見せる態様での使用とを選択できる。さらに、それぞれ互いにデザインの異なる複数のネクタイ本体４及び複数のカバー６の中から任意のものを選択できることにより、第１装飾部１４又は第２装飾部１６とカバー６とを組み合わせて多様なデザインパターンを創出することができる。また、第１装飾部１４及び第２装飾部１６の一方が何かに挟まれ引張力が加わっても、第１固定部１０と第２固定部１２とが互いに離間してネクタイ２が取り外されるため、首が絞まるという危険を回避できる。
【００３３】
図５は、上記実施形態の第１変形例のカバー３４を示す。第１変形例は、主壁２６に貫通孔３６が設けられて、貫通孔３６にリング３８が通されている点で、上記実施形態と異なり、その他の点は上記実施形態と同様である。リング３８は、アクセサリーを吊り下げ、または、老眼鏡やサングラス等の眼鏡のつるを引っ掛けて保持する保持部として機能する。
【００３４】
図６は、上記実施形態の第２変形例のカバー４０を示す。第２変形例は、カバー４０の後面にポケット４２が設けられた点で上記実施形態と異なり、その他の点は上記実施形態と同様である。ポケット４２には、薬等の小物を受容する保持部として機能する。
【００３５】
次に、図７を参照して、本発明に係る第２実施形態を説明する。説明に当たって、第１実施形態と共通する構成は、その説明を省略し同一の符号を付す。第２実施形態に係るネクタイ本体４４は、第２装飾部１６に変えて、物品を受容する保持具４６が設けられた点で第１実施形態と異なり、その他の点で第１実施形態と同様である。ネクタイ本体４４の第１固定部１０及び第２固定部１２を覆うものとして、第１実施形態及びその変形例のカバー６，３４，４０のいずれをも使用することができる。
【００３６】
保持具４６は布地等から形成され、眼鏡等の小物を受容するポケット４８がその前面又は後面に形成されている。保持具４６の輪郭は、大剣を構成する第１装飾部１４の輪郭よりも小さい。そのため、第１固定部１０を第２固定部１２の前に配置して固定すると、保持具４６は、第１装飾部１４に隠れる。ポケット４８を形成することに代えて、保持具４６自体をループ状に形成して眼鏡のつるを引っ掛けて係止できるようにしてもよい。
【００３７】
第２実施形態では、第１装飾部１４を保持具４６の前に配置して使用することが想定されるが、保持具４６に装飾性を持たせて保持具４６を第１装飾部１４の前に配置してもよい。
【００３８】
以上で具体的実施形態の説明を終えるが、本発明は上記実施形態に限定されることなく幅広く変形実施することができる。例えば、カバーを布地によって形成した結び目から構成してもよい。
【符号の説明】
【００３９】
２：ネクタイ
４，４４：ネクタイ本体
６，３４，４０：カバー
８：ネックバンド
１０：第１固定部
１２：第２固定部
１４：第１装飾部
１６：第２装飾部
２２：磁石
２４：薄板
３８：リング（保持部）
４２：ポケット（保持具）
４６：保持具
【図１】
0006660706.tif 000002
【図２】
0006660706.tif 000003
【図３】
0006660706.tif 000004
【図４】
0006660706.tif 000005
【図５】
0006660706.tif 000006
【図６】
0006660706.tif 000007
【図７】
0006660706.tif 000008